(57)【要約】【目的】利便性に優れた携帯型視聴装置を提供する。【構成】受信側となる携帯型視聴装置２は、電子メールを受信し、ＣＰＵ２０９はメール内の記述に基づき、番組名、地域、周波数、放送時間等を解析する。そして、自機において取得しているＥＰＧ情報と前記解析情報とを照合し、同一放送が存在するかどうかを判断する。同一放送が存在すれば、チューナ２３０に必要な情報を与えて番組受信を行う。受信メールによる番組情報に基づく番組が後日放送される場合には、ユーザは予約録画／予約視聴の選択が行なえる。同一放送の番組がメモリカード３に録画されていれば、その再生を行なう。【選択図】                図１
2004180088.tif 000002
【特許請求の範囲】
【請求項１】
地上ディジタル放送を受信して符号化映像・音声データを取得するチューナと、チューナから供給された符号化映像・音声データをデコードしてディスプレイ上に映像表示するとともに音声出力する手段と、無線でネットワークに接続して電子メールの受信を行う手段と、電子メールにより送られてきた番組情報と放送波から取得していた番組情報とを照合して番組受信のための処理を実行する手段と、を備えたことを特徴とする携帯型視聴装置。
【請求項２】
請求項１に記載の携帯型視聴装置において、受信メール画面上でユーザにより選択された番組情報と放送波から取得していた番組情報とを照合して番組受信のための処理を実行するように構成されたことを特徴とする携帯型視聴装置。
【請求項３】
請求項１又は請求項２に記載の携帯型視聴装置において、受信メールによる番組情報に基づく番組が後日放送される場合には、予約録画／視聴を行なうかどうかの確認メッセージを表示するように構成されたことを特徴とする携帯型視聴装置。
【請求項４】
請求項３に記載の携帯型視聴装置において、予約視聴が設定されたときには、その放送開始時に、番組を視聴するかどうかの再確認メッセージを表示し、確認が得られたときに受信処理を実行するように構成されたことを特徴とする携帯型視聴装置。
【請求項５】
請求項１乃至請求項４のいずれかに記載の携帯型視聴装置において、受信メールによる番組情報に基づく番組が録画済みか否かを判断する手段と、録画済みのときにはユーザに通知する手段と、を備えたことを特徴とする携帯型視聴装置。
【発明の詳細な説明】
【０００１】
【産業上の利用分野】
この発明は、テレビ視聴等が行える携帯型視聴装置に関する。
【０００２】
【従来の技術】
従来より、携帯型のテレビジョン受信装置が提供されており、かかる装置は内蔵の小型チューナによって地上波アナログ放送を受信し、液晶表示パネルに受信映像を映し出すようになっている。また、近年においては、ＭＰＥＧ４（Ｍｏｖｉｎｇ  Ｐｉｃｔｕｒｅ  Ｅｘｐｅｒｔｓ  Ｇｒｏｕｐ４）に基づいた符号化映像データをメモリカードに記録し、このメモリカードを携帯型視聴装置のスロットに装填することにより、外出先でも録画映像を楽しむことができるようになっている。ＭＰＥＧ４に基づいた符号化映像データは、通常のテレビジョン放送による受信映像やハンディカメラで撮像した映像をＭＰＥＧ４エンコーダに通すことで得たり、或いは、インターネットを利用してダウンロードすることで得ることができる。そして、このような機能と共に、携帯電話機能（メール機能、ブラウザ機能）をも搭載することが考えられる。なお、メールを受信するテレビ受信装置として、着信したメールを自動的にモニタに表示するものが知られてい（特許文献１参照）。
【０００３】
【特許文献１】
特開２００１−１９７３８５号
【０００４】
【発明が解決しようとする課題】
このように、映像の符号化技術の高度化や機器の小型化によって、外出先でも手軽に映像を楽しむことができるようになっているが、更に、利便性に優れた携帯型視聴装置が求められている。
【０００５】
この発明は、上記の事情に鑑み、利便性に優れた携帯型視聴装置を提供することを目的とする。
【０００６】
【課題を解決するための手段】
この発明の携帯型視聴装置は、上記の課題を解決するために、地上ディジタル放送を受信して符号化映像・音声データを取得するチューナと、チューナから供給された符号化映像・音声データをデコードしてディスプレイ上に映像表示するとともに音声出力する手段と、無線でネットワークに接続して電子メールの受信を行う手段と、電子メールにより送られてきた番組情報と放送波から取得していた番組情報とを照合して番組受信のための処理を実行する手段と、を備えたことを特徴とする。
【０００７】
上記の構成であれば、例えば、電子メールにより送られてきた番組情報が関東地域のもので、送られた側が関西地域であるためにチャンネルや番組放送時間等が異なるような場合でも、前記照合によって対応番組が判断されて視聴し得ることになる。
【０００８】
受信メール画面上でユーザにより選択された番組情報と放送波から取得していた番組情報とを照合して番組受信のための処理を実行するように構成されていてもよい。これにより、受信メールに複数の番組情報が有る場合でもその選択が容易になる。
【０００９】
受信メールによる番組情報に基づく番組が後日放送される場合には、予約録画／視聴を行なうかどうかの確認メッセージを表示するように構成されているのがよい。また、予約視聴が設定されたときには、その放送開始時に、番組を視聴するかどうかの再確認メッセージを表示し、確認が得られたときに受信処理を実行するように構成されているのがよく、これによれば、ユーザが視聴していないのに（例えば、携帯型視聴装置が鞄のなかにあるのに）、受信処理を行なって電池を消耗してしまうのを防止することができる。また、受信メールによる番組情報に基づく番組が録画済みか否かを判断する手段と、録画済みのときにはユーザに通知する手段と、を備えているのがよい。
【００１０】
【発明の実施の形態】
以下、この発明の実施形態を図１乃至図３に基づいて説明する。
【００１１】
携帯型視聴装置２は、図１に示すように、例えば携帯電話型の形状を有しており、電池駆動される構成となっている。また、携帯型視聴装置２は、図２に示すように、チューナ２３０によって地上ディジタル放送を受信する。また、スロット２０１に差し込まれたメモリカード３から符号化映像・音声データを読み出し、映像を液晶表示パネル２０２上に映し出すとともに、音声をイヤホン２０３から出力する。視聴に関する操作ボタン（プレイ／ポーズ、ストップ、送り、音量等）やテンキー等については、筐体部に設けている。
【００１２】
メモリカード３に格納されているＭＰＥＧ４ビットストリームデータは、ＰＣＭＣＩＡインターフェイス２２０、及びシステムバス２１３を経てＭＰＥＧ４ビデオデコーダ２０４に供給される。また、地上波ディジタル放送を受信するチューナ２３０は、この地上ディジタル放送で放送されるＭＰＥＧ４のビットストリームデータを取り出し、ＭＰＥＧ４ビデオデコーダ２０４やオーディオデコーダ（ＭＰＥＧ２−ＡＡＣ）２０６に与えたり、メモリカード３に記録すべくシステムバス２１３に供給したりする。ＭＰＥＧ４ビデオデコーダ２０４は、前記ビットストリームデータを復号して量子化係数や動きベクトルを求め、逆ＤＣＴ変換や動きベクトルに基づく動き補償制御などを行うことによって得た映像データをグラフィックスコントローラ２０５に供給する。グラフィックスコントローラ２０５は映像データ（例えば、Ｒ，Ｇ，Ｂデータ）に対して色調整等の処理を施す。また、グラフィックスコントローラ２０５は、ＣＰＵ２０９から出力指示された文字等（操作ボタン、メニュー画面、地上波ディジタル放送から取得した番組情報によるＥＰＧ画面等）を液晶表示パネル２０２に表示する処理も行う。オーディオデコーダ２０６は、ビットストリーム中の音声符号データを復号して音声データを生成する。ＳＤＲＡＭ２１０は、ＭＰＥＧ４ビデオデコーダ２０４の上記処理において利用される。
【００１３】
ＬＣＤコントローラ２０７は、グラフィックスコントローラ２０５から供給された映像データに基づいて液晶表示パネル２０２を駆動する。また、Ｄ／Ａ変換器２０８は、オーディオデコーダ２０６から出力された音声データを受け取ってＤ／Ａ変換を行い、右（Ｒ）音のアナログ信号および左（Ｌ）音のアナログ信号を生成してイヤホン２０３に与える。
【００１４】
本体キー２１４は先述した視聴に関する操作ボタン（プレイ／ポーズ、ストップ、送り）やテンキー等に相当する。この本体キー２１４に対する操作情報は、インターフェイス２１５、及びシステムバス２１３を介してＣＰＵ２０９に与えられる。ＣＰＵ２０９は上記操作情報に基づいて必要な処理を実行する。
【００１５】
また、無線ネットワークを可能にするために、通信ブロック２１６及びインターフェイス２１７が設けられている。更に、ＦｌａｓｈＲＯＭ２１８やＳＤＲＡＭ２１９も備える。電池２２１は二次電池であり、図示しない充電器から電力の供給を得てこれを蓄えるようになっている。携帯電話部２３１は、通常の電話のために用いることとしている。
【００１６】
ＣＰＵ２０９は、無線ネットワークのための処理、スロット２０１にＰＨＳデータカード４が装着された場合のデータ送受信、受信データに基づく各機能部の制御、ＦｌａｓｈＲＯＭ２１８やＳＤＲＡＭ２１９のリード／ライト制御なども行うようになっている。
【００１７】
液晶表示パネル２０２上には、例えば、メニュー画面として、「ＴＶを視聴する」「ＴＶを録画する」「録画予約を行う」「再生する」「情報端末とする」「番組情報を取得する」といった項目を表示し、このうちの「ＴＶを視聴する」が選択されると、ユーザの入力で指定されたチャンネルの番組を受信すべくチューナを制御し、取得したその番組のビットストリームデータに基づいて番組を表示する。
【００１８】
前記の「ＴＶを予約録画する」が選択されると、選局情報の入力を受け付け、選局情報中の録画開始時刻と現在時刻とが一致するかを判断し、録画開始時刻になれば、メモリカード３への記録を行い、録画終了時刻になれば、録画処理を終了する。
【００１９】
前記の「再生する」が選択されたり、或いは携帯型視聴装置２の再生ボタンがＯＮされると、符号化映像・音声データをメモリカード３から読み出し、符号化映像・音声データによる再生を行なう。
【００２０】
上記ＣＰＵ２０９による処理を更に説明していく。スロット２０１にＰＨＳデータカード４を装着することで、電子メールやインターネットを利用したページ閲覧等が行えるようになっている。従って、かかる携帯型視聴装置をテレビ視聴や映像再生機として使う他に、ネット端末として利用できる。前記の「情報端末とする」が選択されると、例えば、液晶表示パネル２０２上に「メールする」「インターネットする」といった項目が表示され、ユーザによって項目が選択されると、ＰＨＳデータカード４が装着されているかどうかが判断され、装着されていれば、ユーザが選択した項目に従った処理が実行される。
【００２１】
前記メール機能によりＥＰＧ画面等で指定された番組の番組情報をメール内容として送信することができる。ここで、番組情報をメール内容とする場合、例えば、「※ＥＰＧ○○××ＥＰＧ※」といった記述とし、この記述の○○××の情報部分が、番組名、地域、周波数、放送時間等の番組選局に必要な情報を挿入する（リンク情報作成）。図３（ａ）に送信側の処理を簡単に示しており、番組情報のメール送信時には、前記リンク情報を作成し（ステップＳ１）、メール送信処理を実行する（ステップＳ２）。
【００２２】
受信側となる携帯型視聴装置２は、図３（ｂ）に示すように、電子メールを受信し（ステップＳ３）、リンク情報解析を行なう（ステップＳ４）。すなわち、前記「※ＥＰＧ」と「ＥＰＧ※」の間の文字列から番組名、地域、周波数、放送時間等を解析する。そして、自機において取得しているＥＰＧ情報と前記解析情報とを照合し（ステップＳ５）、同一放送が存在するかどうかを判断する（ステップＳ６）。そして、同一放送が存在すれば、チューナ２３０に必要な情報を与えて番組受信を行い（ステップＳ７）、後日放送予定と判断されれば録画予約／視聴予約の処理を実行し（ステップＳ８）、放送がメモリカード３に録画済みであれば、再生処理を実行する（ステップＳ９）。ここで、前記照合において、地域、周波数、放送時間等が異なっていても、番組名が一致する場合、或いは番組名と放送事業者コードが一致する場合等のときには、同一放送であると判断し、その一致する自機番組情報に従って受信処理を行なうようにしてもよい。また、判断結果を画面表示してユーザに確認させるようにしてもよい。
【００２３】
受信メールに複数の番組情報が有る場合、受信メール画面上で番組情報をリスト表示し、このリスト上でユーザが番組を選択できるようにしておく。この選択は、例えば、方向キーの操作でカーソルを番組情報記述箇所にのせ（色変わりさせ）、決定キーを操作するといった方法が考えられる。そして、ユーザによって選択された番組情報と放送波から取得していた番組情報とを照合して番組受信のための処理を実行する。これにより、受信メールに複数の番組情報が有る場合でもその選択が容易になる。
【００２４】
前記の録画予約／視聴予約の処理に際しては、ユーザにどちらを選択するか又はしないかを問うメッセージ画面を表示し、ユーザに選択させる。そして、視聴予約の場合には、放送開始時（或いは１分前等）になったときに、を音や音声メッセージによってユーザに伝え、ユーザによりあらためて視聴希望の操作がなされたときに受信処理を行なうようにしてもよい。
【００２５】
前記の放送録画済みかどうかの判断は、メール受信した番組情報とメモリカード３の録画番組の情報（番組名等）とを比較することにより判断できる。その再生においては、自動的に再生処理を実行し、この再生画面のなかで、例えば、「この番組は録画です」といったメッセージを表示してもよいし、或いは、「この番組は録画してあります、視聴しますか」のメッセージ及び「ＹＥＳ  ＮＯ」のボタン表示を行い、「ＹＥＳ」のボタンが操作されたときに、再生を開始するようにしてもよい。
【００２６】
なお、いずれにも該当しないときには、「同一番組はありません」といったメッセージを表示すればよい。
【００２７】
【発明の効果】
以上説明したように、この発明によれば、例えば、電子メールにより送られてきた番組情報が関東地域のもので、送られた側が関西地域であるために番組放送時間等が異なるような場合でも、前記照合によって対応番組が判断されて視聴し得る等の効果を奏する。
【図面の簡単な説明】
【図１】この発明の実施形態の携帯型視聴装置を示した外観斜視図である。
【図２】携帯型視聴装置のブロック図である。
【図３】同図（ａ）は携帯型視聴装置のメール送信時のフローチャートであり、同図（ｂ）はメール受信時のフローチャートである。
【符号の説明】
２        携帯型視聴装置
２０２    液晶表示パネル
２０４    ＭＰＥＧ４ビデオデコーダ
２０９    ＣＰＵ
３        メモリカード
４        ＰＨＳデータカード
２
【図１】
2004180088.tif 000003
【図２】
2004180088.tif 000004
【図３】
2004180088.tif 000005